Podtech/llm-jp-corpus-v4-ja_patent huggingface dataset:
【手続補正書】
【提出日】平成30年1月17日(2018.1.17)
【手続補正１】
【補正対象書類名】特許請求の範囲
【補正対象項目名】全文
【補正方法】変更
【補正の内容】
【特許請求の範囲】
【請求項１】
タイヤ部品を切断するための切断装置において、前記切断装置は上部切断部材と、下部切断部材とを含んでおり、前記上部切断部材は、前記下部切断部材に沿って切断面において移動し、切断線に沿って前記下部切断部材と協働して前記タイヤ部品を切断するように構成されており、前記上部切断部材は、前記下部切断部材に対する前記切断面において凸型の円弧状の上部切断エッジを備えた上部ナイフを含み、前記上部切断部材は、前記切断面内の搖動動作における前記下部切断部材に沿って前記円弧状の上部切断エッジと共に移動されるように構成され、前記円弧状の上部切断エッジは、半径および前記半径の原点における前記搖動動作のための回転中心を有し、前記回転中心は、前記上部切断部材の外側に位置している切断装置。
【請求項２】
前記円弧状の上部切断エッジは、前記半径に対して２ラジアン未満の長さを有している
請求項１に記載の切断装置。
【請求項３】
前記円弧状の上部切断エッジの長さは、前記半径に対して１ラジアン未満である
請求項２に記載の切断装置。
【請求項４】
前記切断装置は、前記下部切断部材に対する前記上部切断部材の前記搖動動作をガイドするためのガイド部材を含む
請求項１に記載の切断装置。
【請求項５】
前記上部切断部材は、前記上部ナイフに結合された第１の結合要素を含んでおり、前記ガイド部材は、前記上部切断部材の前記搖動動作の間、前記第１の結合要素が通る第１のサイクロイドパスに沿って、前記ガイド部材に対して前記第１の結合要素を受けると共にガイドするための第１の円弧状のガイド要素を具備している
請求項４に記載の切断装置。
【請求項６】
前記上部切断部材は、前記上部ナイフに結合された第２の結合要素を含んでおり、前記ガイド部材は、前記上部切断部材の前記搖動動作の間、前記第２の結合要素が通る第２のサイクロイドパスに沿って、前記ガイド部材に対して前記第２の結合要素を受けると共にガイドするための第２の円弧状のガイド要素を具備している
請求項５に記載の切断装置。
【請求項７】
前記第１の結合要素および前記第２の結合要素は、相互に離隔している
請求項６に記載の切断装置。
【請求項８】
前記第１の結合要素および前記第２の結合要素は、前記上部ナイフの縦方向において前記上部ナイフの対向端部にある
請求項７に記載の切断装置。
【請求項９】
前記上部ナイフは、前記円弧状の上部切断エッジの長さの約半分で対称的であり、前記第１の結合要素および前記第２の結合要素は、前記上部ナイフの対向した対称的な側に配置されている
請求項６に記載の切断装置。
【請求項１０】
前記切断装置は、前記下部切断部材に対して前記上部切断部材の前記搖動動作を駆動するためのアクチュエータを具備している
請求項１に記載の切断装置。
【請求項１１】
前記アクチュエータは、前記円弧状の上部切断エッジの前記回転中心から半径方向に離隔した距離において、前記上部切断部材に結合されている
請求項１０に記載の切断装置。
【請求項１２】
前記搖動動作は、前記回転中心の回りの前記上部切断部材の回転と、前記切断ラインに平行な前記回転中心の並進とを含んでおり、前記アクチュエータは前記切断ラインに平行に直線状に移動可能であるキャリッジを含み、前記キャリッジは、前記上部切断部材に結合され、そして前記回転中心の回りで前記上部切断部材の前記回転を可能にするか、あるいは前記回転をそれに付与しつつ、前記上部切断部材の前記並進を駆動するために配置されている
請求項１０に記載の切断装置。
【請求項１３】
前記切断装置は、前記下部切断部材に対する前記上部切断部材の前記搖動動作をガイドするためのガイド部材を含み、前記ガイド部材は、直線状のガイドを含んでおり、前記キャリッジは、前記切断ラインに平行なガイド付きの直線運動のために前記直線状のガイドに結合されている
請求項１２に記載の切断装置。
【請求項１４】
前記上部切断部材は、前記上部ナイフに結合されている第１の結合要素を含み、前記ガイド部材は、前記上部切断部材の前記搖動動作の間、前記第１の結合要素が通る第１のサイクロイドパスに沿って、前記ガイド部材に対して前記第１の結合要素を受けると共にガイドするための第１の円弧状のガイド要素を具備しており、前記直線状のガイドは、前記第１の円弧状のガイド要素および／もしくは前記第２の円弧状のガイド要素に対して固定位置に配置されている
請求項１３に記載の切断装置。
【請求項１５】
前記アクチュエータは、前記直線状のガイドに沿って前記並進方向に前記キャリッジを駆動するためのタイミングベルトを更に具備する
請求項１３に記載の切断装置。
【請求項１６】
前記キャリッジは、前記切断ラインに垂直である前記円弧状の上部切断エッジの半径において、前記上部切断部材に結合されている
請求項１２に記載の切断装置。
【請求項１７】
前記上部切断部材は、前記円弧状の上部切断エッジに対する接線方向に、前記キャリッジに対して滑動自在である
請求項１２に記載の切断装置。
【請求項１８】
前記上部切断部材は、前記円弧状の上部切断エッジに結合され且つそれに同心の円弧状のレールを具備し、前記アクチュエータは、前記円弧状のレールを滑動自在に受けるかあるいは係合するように構成されたガイドシューを含む
請求項１２に記載の切断装置。
【請求項１９】
前記搖動動作は、回転中心の回りの前記切断部材の回転と、前記切断ラインに平行な前記回転中心の並進とを含み、前記回転の周速は、前記並進の前記並進スピードに等しい
請求項１に記載の切断装置。
【請求項２０】
前記上部切断部材は、前記切断ラインに垂直な方向に前記切断面に平行あるいはその切断面内で前記下部切断部材に重なっている
請求項１に記載の切断装置。
【請求項２１】
前記上部切断部材と前記下部切断部材との間の前記重なりは、切断深さを決定し、前記切断深さは前記搖動動作の間一定に維持するように配置されている
請求項２０に記載の切断装置。
【請求項２２】
前記上部切断部材は、１０度未満である切断角度における前記重なりにおいて前記下部切断部材と交差する
請求項２０に記載の切断装置。
【請求項２３】
前期切断角度は、５度未満である
請求項２２に記載の切断装置。
【請求項２４】
前記下部切断部材は、直線状の下部切断エッジを備えた下部ナイフを含む
請求項１に記載の切断装置。
【請求項２５】
前記下部ナイフは、棒状の下部ナイフである
請求項２４に記載の切断装置。
【請求項２６】
前記下部切断部材は、その直線状の下部切断エッジが水平方向に延在した状態で位置決めされるように構成されている
請求項２４に記載の切断装置。
【請求項２７】
前記円弧状の上部切断エッジは、円の一部である
請求項１に記載の切断装置。
【請求項２８】
請求項１に記載の前記切断装置を使用して、タイヤ部品を切断するための方法において、前記方法は、前記切断面における搖動動作において前記下部切断部材に沿ってその前記円弧状の上部切断エッジを備えた前記上部切断部材を移動させる工程を含む方法。
【手続補正書】
【提出日】平成30年2月20日(2018.2.20)
【手続補正１】
【補正対象書類名】特許請求の範囲
【補正対象項目名】全文
【補正方法】変更
【補正の内容】
【特許請求の範囲】
【請求項１】
流体を吸着および貯蔵する方法であり、
第１の圧力および第１の温度において、第１の流体成分を含む入力流体流を、ゼオライトＩＴＱ−５５を含む吸着剤に暴露するステップと；
貯蔵期間に、第２の圧力および第２の温度において前記吸着剤を維持するステップと；
前記第１の流体成分を含む吸着生成物流体流を形成するステップと；
前記吸着生成物流を回収するステップと
を含み、前記ゼオライトＩＴＱ−５５が、架橋原子によって連結された四面体（Ｔ）原子のフレーム構造を有し、前記四面体原子が、以下の表：
【表１】
2017521243.tif 000001
【表２】
2017521243.tif 000002
に記載される様式で最も近いＴ原子を連結することによって定義される、方法。
【請求項２】
前記ゼオライトＩＴＱ−５５が、焼成状態であって、シラノールの存在によって示される結晶マトリックス中の欠陥がない状態で、実験式：
ｘ（Ｍ１／ｎＸＯ２）：ｙＹＯ２：ｇＧｅＯ２：（１−ｇ）ＳｉＯ２
［式中、
Ｍは、Ｈ＋、電荷＋ｎの少なくとも１種の無機カチオンおよび両方の混合物から選択され、
Ｘは、酸化状態＋３の少なくとも１種の化学元素であり、
Ｙは、Ｓｉとは異なる酸化状態＋４の少なくとも１種の化学元素であり、
ｘは、０〜０．２（０および０．２を含む）の値をとり、
ｙは、０〜０．１（０および０．１を含む）の値をとり、
ｇは、０〜０．５（０および０．５を含む）の値をとる］
を有する、請求項１に記載の方法。
【請求項３】
ｘが本質的にゼロの値をとり、ｙが本質的にゼロの値をとり、かつｇが本質的にゼロの値をとる、請求項２に記載の方法。
【請求項４】
ａ）ｘが０より高い値をとるか、ｂ）ｙが本質的にゼロの値をとるか、ｃ）ｇが本質的にゼロの値をとるか、またはｄ）それらの組合せである、請求項２に記載の方法。
【請求項５】
前記入力流体流を吸着剤に暴露するステップが、スイング吸着容器中で前記入力流体流を吸着剤に暴露するステップを含む、請求項１に記載の方法。
【請求項６】
前記第１の温度および前記第２の温度が同じであるか、前記第１の圧力および前記第２の圧力が同じであるか、またはそれらの組合せである、請求項１に記載の方法。
【請求項７】
吸着生成物流体流を形成するステップが、前記吸着剤の前記第２の温度を変更するステップを含む、請求項１に記載の方法。
【請求項８】
吸着生成物流体流を形成するステップが、第３の成分を含む流体流を、ゼオライトＩＴＱ−５５を含む前記吸着剤に暴露するステップであって、前記第３の成分の少なくとも一部が、ゼオライトＩＴＱ−５５を含む前記吸着剤によって吸着される、ステップを含む、請求項１に記載の方法。
【請求項９】
前記吸着剤が、約２０オングストロームより大きく、約１ミクロン未満の直径を有する細孔において、約２０％未満の開孔体積を有する、請求項１に記載の方法。
【請求項１０】
貯蔵期間に、第２の圧力および第２の温度において前記吸着剤を維持するステップが、約０．１ＭＰａａ以下の前記第１の流体成分の分圧を有する環境に前記吸着剤を暴露するステップを含む、請求項１に記載の方法。
【請求項１１】
前記入力流体流が第２の成分をさらに含み、前記吸着生成物流中の前記第１の成分：前記第２の成分のモル比が、前記入力流体流中の前記第１の成分：前記第２の成分のモル比よりも高い、請求項１に記載の方法。
【請求項１２】
前記第２の流体成分が、メタン、エタン、メタノール、ジメチルエーテル、３個以上の重原子を含有する有機化合物またはそれらの組合せである、請求項１１に記載の方法。
【請求項１３】
前記第１の流体成分がＣＯ２である、請求項１２に記載の方法。
【請求項１４】
前記第１の流体成分がＨ２であり、前記第２の流体成分が、窒素酸化物、硫黄酸化物、炭化水素、炭素酸化物またはそれらの組合せである、請求項１１に記載の方法。
【請求項１５】
前記入力流体流が合成ガスを含む、請求項１４に記載の方法。
【請求項１６】
前記第１の流体成分がＨ２であり、前記第２の流体成分が、Ｈ２Ｓ、ＮＨ３またはそれらの組合せである、請求項１に記載の方法。
【請求項１７】
前記第１の流体成分が、ＣＯ２、Ｈ２またはそれらの組合せである、請求項１に記載の方法。
【請求項１８】
前記第１の流体成分が、エチレン、アセチレン、ホルムアルデヒドまたはそれらの組合せである、請求項１に記載の方法。
【請求項１９】
前記第１の流体成分が、希ガス、分子ハロゲン、水素化ハロゲンまたはそれらの組合せである、請求項１に記載の方法。
【請求項２０】
前記第１の流体成分が、メタン、エチレン、エタン、メタノール、ジメチルエーテルまたはそれらの組合せである、請求項１に記載の方法。
【請求項２１】
流体を吸着および貯蔵する方法であり、
第１の圧力および第１の温度において、第１の流体成分を含む入力流体流を、ゼオライトＩＴＱ−５５を含む吸着剤に暴露するステップと；
貯蔵期間に、第２の圧力および第２の温度において前記吸着剤を維持するステップと；
前記第１の流体成分を含む吸着生成物流体流を形成するステップと；
前記吸着生成物流を回収するステップと
を含み、合成された状態で、前記ゼオライトＩＴＱ−５５が、少なくとも以下の角度の値２θ（度）および相対強度（Ｉ／Ｉ０）：
【表３】
2017521243.tif 000003
［表中、
Ｉ０は、１００の値が割り当てられる最も強いピークからの強度であり、
ｗは、０〜２０％の弱い相対強度であり、
ｍは、２０〜４０％の中間の相対強度であり、
ｆは、４０〜６０％の強い相対強度であり、
ｍｆは、６０〜１００％の非常に強い相対強度である］
を有するＸ線回折パターンを有する、方法。
【手続補正書】
【提出日】平成30年7月4日(2018.7.4)
【手続補正１】
【補正対象書類名】特許請求の範囲
【補正対象項目名】全文
【補正方法】変更
【補正の内容】
【特許請求の範囲】
【請求項１】
透明材料をレーザ加工する方法において、
前記透明材料をキャリア上に配置する工程と、
レーザビームを前記透明材料に透過させる工程であって、前記レーザビームが前記透明材料の前記キャリアとは反対側に入射する、工程と
を含み、
前記透明材料が前記レーザビームに対して略透明であり、
前記キャリアが支持基部およびレーザ攪乱要素を含み、
前記レーザビームが、前記レーザ攪乱要素より下方においては、前記支持基部を損傷するのに十分な強度を有しないように、前記レーザ攪乱要素が、前記透明材料を透過した前記レーザビームを光学的に攪乱する
ことを特徴とする方法。
【請求項２】
前記キャリアの少なくとも一部が、前記レーザビームに対して透明でない、請求項１記載の方法。
【請求項３】
前記レーザ攪乱要素が、前記透明材料を透過した前記レーザビームによって損傷されない、請求項１または２記載の方法。
【請求項４】
前記透明材料がガラスである、請求項１〜３記載の方法。
【請求項５】
前記透明材料に入射する前記レーザビームを用いて、前記透明材料に穿孔する工程を更に含む、請求項１、２、または３記載の方法。
【請求項６】
前記レーザビームが、（ｉ）１ピコ秒〜１００ピコ秒のパルス持続時間、および（ｉｉ）各パルスバーストが少なくとも２つのパルスを有する、１ｋＨｚ〜２ＭＨｚのパルスバースト繰り返し率のうちの少なくとも一方を有する、請求項１〜５記載の方法。
【請求項７】
前記レーザ攪乱要素が、（ｉ）前記レーザビームを光学的に攪乱する粗面化された表面を有する、（ｉｉ）曇りガラスを含む、または、（ｉｉｉ）半透明である、請求項１記載の方法。
【請求項８】
レーザ加工のための多層スタック体において、
支持基部と、該支持基部上に配置されたレーザ攪乱要素とを含むキャリアと、
前記キャリア上に配置された、略平坦な上面および略平坦な底面を含む透明材料であって、該透明材料の前記キャリアとは反対側の表面に入射するレーザビームに対して略透明な透明材料と
を含み、
前記レーザビームが、前記レーザ攪乱要素より下方においては、前記支持基部を損傷するのに十分な強度を有しないように、前記レーザ攪乱要素が、前記透明材料を透過した前記レーザビームを光学的に攪乱する
ことを特徴とする多層スタック体。
【請求項９】
前記レーザ攪乱要素が、前記レーザビームを光学的に攪乱する粗面化された表面を含む、請求項８記載の多層スタック体。
【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
キャリア部材を含む、眼用インプラント取扱いシステムであって、
前記キャリア部材は、
シェルの近位端から遠位端に向かって、少なくとも部分的にシェルを通過して延びる、中央チャネルを有するシェル；
前記シェルの前記中央チャネルの少なくとも第１の領域内に脱着可能に取り付けられたガイドスリーブであって、前記シェルの近位端からアクセス可能な、中央チャネル中に入る近位ポートを画定する、前記ガイドスリーブ；および
前記ガイドスリーブの遠位端に隣接する、前記シェルの前記中央チャネルの少なくとも第２の領域内に脱着可能に取り付けられたインプラント保持具であって、インプラント保持具の遠位端に、インプラントを解放可能に固定するように適合された、一対の把持具を有する、前記インプラント保持具
を含む、前記システム。
【請求項２】
ガイドスリーブを介して、ポートを通り中央チャネル中に挿入されるように寸法および形状が決められた、充填注射器をさらに含み、
任意に、注射器が中央チャネルに挿入されるときに、ガイドスリーブが、同時に、シェルから外れるとともに前記注射器に取り付く、請求項１に記載のシステム。
【請求項３】
ガイドスリーブが、ガイドスリーブが中央チャネル内に位置するときに、少なくとも１つのガイドスリーブスロット中に突出する、シェルの対応するタブを受け入れるように寸法および形状が決められている、少なくとも１つのガイドスリーブスロットを有し、
任意に、ガイドスリーブスロットの縁が、ロックされた第１の状態にあるとき、シェルタブの遠位端に当接する、請求項１または２に記載のシステム。
【請求項４】
充填注射器が、外面を有する針アセンブリを有し、
任意に、中央チャネル内に位置するガイドスリーブを通して充填注射器を挿入すると、針アセンブリの外面とシェルタブの内面とを接触させて、シェルタブに付勢して、ガイドスリーブスロットから離れて外向きに屈曲させて、ガイドスリーブスロットの縁がシェルタブの遠位端に当接しなくなる、ロック解除された第２の状態になる、請求項２または３に記載のシステム。
【請求項５】
ガイドスリーブの領域は、ガイドスリーブタブを形成する、Ｕ字形スロットを有し、
任意に、ガイドスリーブタブは、中央チャネル内に位置するガイドスリーブの長手方向軸に向かって内側に突出する自由端を有する、請求項１〜４のいずれか一項に記載のシステム。
【請求項６】
充填注射器は、第１の外径を有する第１の部分と、第２の外径を有する第２の部分とを有するとともに、第１の部分は、第２の部分の遠位に配置され、第１の外径は、第２の外径よりも大きい、請求項２〜５のいずれか一項に記載のシステム。
【請求項７】
充填注射器がガイドスリーブを通って遠位に前進すると、充填注射器の第１の部分をガイドスリーブタブの自由端に当接させて、前記ガイドスリーブタブを前記ガイドスリーブの長手方向軸から離れて外向きに付勢する、請求項６に記載のシステム。
【請求項８】
充填注射器がガイドスリーブを通りさらに遠位に前進すると、自由端が長手方向軸に向かって内側に、かつ、第１の部分に対して近位にある小径の第２の部分に向かって屈曲して戻るように、前記ガイドスリーブタブの自由端に対して遠位の第１の部分を前進させる、請求項７に記載のシステム。
【請求項９】
ガイドスリーブタブの自由端が、ガイドスリーブを充填注射器にロックする第１部分の近位棚に当接する、請求項５〜８のいずれか一項に記載のシステム。
【請求項１０】
インプラント保持具が、充填注射器の針アセンブリの少なくとも一部分を受容するように構成された内部を有する、請求項４〜９のいずれか一項に記載のシステム。
【請求項１１】
インプラントがリザーバから眼の中に薬物を送達することができるように、少なくとも部分的に眼に挿入されるように寸法および形状が決められた、保留構造とリザーバとを含む眼用インプラントをさらに含み、インプラントを眼に挿入するために使用可能なハンドル部材をさらに含む、請求項１〜１０のいずれか一項に記載のシステム。
【請求項１２】
一対の把持具が、インプラントの充填ポートがインプラント保持具の内部から利用可能になるように、実質的にインプラントの保留構造のまわりに延びる、請求項１１に記載のシステム。
【請求項１３】
一対の把持具の第１の把持具が第１の突出部を有し、前記一対の把持具の第２の把持具が第２の突出部を有するとともに
前記第１および第２の突出部は、保留構造がインプラント保持具の内部に保持され、リザーバがインプラント保持具の遠位に延びるように、インプラントの保持構造の遠位のくぼみ内に受容されるように構成されている、請求項１２に記載のシステム。
【請求項１４】
中央チャネルが、シェルの遠位端領域を通って延びる窓で終端し、一対の把持具が、窓内に眼用インプラントを固定する、請求項１〜１３のいずれか一項に記載のシステム。
【請求項１５】
眼用インプラントは、該インプラントの近位端から遠位端まで、該インプラントの中心を通って延びる、長軸を有し、前記インプラントの長軸は、中央チャネルの長軸と同心である、請求項１４に記載のシステム。
【手続補正書】
【提出日】平成30年4月3日(2018.4.3)
【手続補正１】
【補正対象書類名】特許請求の範囲
【補正対象項目名】全文
【補正方法】変更
【補正の内容】
【特許請求の範囲】
【請求項１】
階層的コンテンツを送信するための方法であって、
送信のために第１のコンテンツを特定することと、前記第１のコンテンツは第１の誤り率の閾値と関連付けられる、
送信のために第２のコンテンツを特定することと、前記第２のコンテンツは前記第１の誤り率の閾値よりも高い第２の誤り率の閾値と関連付けられ、前記第１の誤り率の閾値および前記第２の誤り率の閾値が、前記第１のコンテンツおよび第２のコンテンツに含まれる情報のタイプに基づく、
基本変調レイヤ上に前記第１のコンテンツを変調することと、
増強変調レイヤ上に前記第２のコンテンツを変調することと、
前記増強変調レイヤを前記基本変調レイヤに重畳することと、
前記重畳された基本変調レイヤと増強変調レイヤとを送信することと
を備える、方法。
【請求項２】
前記第１のコンテンツが高優先度のコンテンツを備え、前記第２のコンテンツが低優先度のコンテンツを備える、請求項１に記載の方法。
【請求項３】
前記第１のコンテンツおよび前記第２のコンテンツが同じユーザ機器に送信される、または、
前記第１のコンテンツおよび前記第２のコンテンツが異なるユーザ機器に送信される、
請求項１に記載の方法。
【請求項４】
前記第１のコンテンツが、前記第１のコンテンツを受信するように構成されるユーザ機器（ＵＥ）のための制御情報を備え、前記第２のコンテンツがユーザデータを備える、または、
前記第１のコンテンツが、第１のユーザ機器（ＵＥ）のためのレイテンシに対する感受性が高いユニキャストデータを備え、前記第２のコンテンツが、前記第１のＵＥまたは異なるＵＥのためのベストエフォートユニキャストデータを備える、または、
前記第１のコンテンツが特定のユーザ機器（ＵＥ）のためのユニキャストデータを備え、前記第２のコンテンツがブロードキャストデータを備える、または、
前記第１のコンテンツがブロードキャストデータを備え、前記第２のコンテンツが特定のユーザ機器（ＵＥ）のためのユニキャストデータを備える、
請求項１に記載の方法。
【請求項５】
前記基本変調レイヤおよび前記増強変調レイヤの送信のために使用されるべきチャネルのチャネル状態情報（ＣＳＩ）を決定することと、
前記ＣＳＩに基づいて、前記基本変調レイヤと前記増強変調レイヤとの送信エネルギー比を計算することと
をさらに備える、請求項１に記載の方法。
【請求項６】
前記基本変調レイヤおよび前記増強変調レイヤの送信に利用可能な空間レイヤの数を決定することと、
前記決定された数の空間レイヤ上で前記重畳された基本変調レイヤと増強変調レイヤとを送信することと
をさらに備える、請求項１に記載の方法。
【請求項７】
複数のユーザ機器（ＵＥ）のチャネル状態情報（ＣＳＩ）を決定することと、
前記複数のＵＥのための前記ＣＳＩに基づいて、前記複数のＵＥのうちのいずれが前記基本変調レイヤまたは前記増強変調レイヤの１つまたは複数を受信すべきかを命令することと
をさらに備える、請求項１に記載の方法。
【請求項８】
前記重畳された基本変調レイヤと増強変調レイヤとを送信することが、
前記決定されたＣＳＩに基づいてよりチャネル品質が低いと決定された１つまたは複数のＵＥに前記基本変調レイヤを送信することと、
前記決定されたＣＳＩに基づいてよりチャネル品質が高いと決定された前記１つまたは複数のＵＥに前記増強変調レイヤを送信することと
を備える、請求項７に記載の方法。
【請求項９】
前記重畳された基本変調レイヤと増強変調レイヤとを受信すべき少なくとも１つのユーザ機器（ＵＥ）にシグナリング情報を送信することをさらに備える、請求項１に記載の方法。
【請求項１０】
前記基本変調レイヤおよび前記増強変調レイヤが同じ変調方式を有する、または、
前記基本変調レイヤおよび前記増強変調レイヤが異なる変調方式を有する、
請求項１に記載の方法。
【請求項１１】
ワイヤレス通信のための方法であって、
基本変調レイヤに重畳された増強変調レイヤを備える信号を受信することと、
前記基本変調レイヤからの干渉を低減するために、前記受信された信号に対して干渉低減を実行することによって、前記増強変調レイヤからデータが復号されるべきであることを決定することと、
前記増強変調レイヤを復号することと
を備える、方法。
【請求項１２】
データが前記増強変調レイヤから復号されるべきであると決定することが、
前記増強変調レイヤからデータが復号されるべきであることを示す制御シグナリングを、サービング基地局から受信することを備える、請求項１１に記載の方法。
【請求項１３】
前記干渉低減を実行することが、
前記基本変調レイヤからの干渉を低減するために、前記受信された信号に対して線形最小平均二乗誤差（ＭＭＳＥ）抑制を実行すること、または、
前記基本変調レイヤからの干渉を低減するために、前記受信された信号に対してＱＲ分解ベースの球面復号（ＱＲ−ＳＤ）を実行すること、または、
前記基本変調レイヤからの干渉を低減するために、前記受信された信号に対して連続的干渉除去（ＳＩＣ）を実行すること
を備える、請求項１１に記載の方法。
【請求項１４】
請求項１〜１３のうちのいずれか一項の方法を実行するための手段を備える、装置。
【請求項１５】
プロセッサによって実行されると、請求項１〜１３のうちのいずれか一項の方法を実行するコンピュータ実行可能コードを記憶した、非一時的コンピュータ可読媒体。
【手続補正書】
【提出日】平成30年7月10日(2018.7.10)
【手続補正１】
【補正対象書類名】特許請求の範囲
【補正対象項目名】全文
【補正方法】変更
【補正の内容】
【特許請求の範囲】
【請求項１】
異なる色を放出するよう構成される複数の照明要素を含む少なくとも１つの光源と、
少なくとも１つのコントローラと、
を含み、
前記少なくとも１つのコントローラは、
前記少なくとも１つの光源が光を放出する発光期間の事前選択されている持続時間の指示を受信し、
前記発光期間の前記持続時間中、光を放出するように前記少なくとも１つの光源を制御し、
前記発光期間の前記持続時間に依存して、第１の光のスペクトルの組成を選択し、
前記発光期間の少なくとも一部分の間、前記第１の光のスペクトルの選択された前記組成を有する光を放出するように前記少なくとも１つの光源を制御する、空間を照らす照明システムであって、
前記少なくとも１つのコントローラは、前記発光期間中に放出される光の強度、前記発光期間が存在する時刻、及び前記発光期間中に前記空間にいるユーザの概日時計の状態のうちの少なくとも１つに依存して、前記第１の光のスペクトルの組成を選択するように前記照明システムを制御する、照明システム。
【請求項２】
前記少なくとも１つのコントローラは、
前記照明システムによって照らされる前記空間に隣接する領域を照らす１つ以上の他の光源からの強度又はスペクトル、及び、
前記１つ以上の他の光源から放出される光の持続時間、
のうちの少なくとも１つに依存して、前記第１の光のスペクトルの組成を選択するように前記照明システムを制御する、請求項１に記載の照明システム。
【請求項３】
前記少なくとも１つのコントローラは、放出される光のスペクトル成分及びその強度を選択することによって、前記発光期間の前記持続時間に依存して、前記第１の光のスペクトルの組成を選択する、請求項１又は２に記載の照明システム。
【請求項４】
前記発光期間中に放出される光の強度は、前記第１の光のスペクトルの組成の選択の前に、事前に選択され、前記第１の光のスペクトルの組成は、事前に選択された前記強度に応じて選択される、請求項１、２又は３に記載の照明システム。
【請求項５】
前記発光期間の前記持続時間及び前記発光期間中に放出される光の前記強度の少なくとも１つが、ユーザによって事前に選択される、請求項１乃至４の何れか一項に記載の照明システム。
【請求項６】
前記発光期間は、５秒乃至３０分の範囲から事前に選択される、請求項１乃至５の何れか一項に記載の照明システム。
【請求項７】
前記第１の光のスペクトルの強度は、１８ｍ−ｌｕｘ未満であり、前記強度に依存して、前記少なくとも１つのコントローラは、５０５ｎｍの波長を有するスペクトル成分を含める、請求項６に記載の照明システム。
【請求項８】
前記少なくとも１つのコントローラは、前記発光期間中に、光が連続的に放出されるべきか又は不連続的に放出されるべきかに依存して、前記第１の光のスペクトルの組成を選択する、請求項１乃至７の何れか一項に記載の照明システム。
【請求項９】
光は、１０分間のパルスで不連続的に放出され、光のスペクトル組成は、ｍ錐体吸収スペクトルに一致させられる、請求項８に記載の照明システム。
【請求項１０】
前記少なくとも１つのコントローラは、ヒトのメラトニン抑制を担うスペクトル成分を抑制する、前記第１の光のスペクトルの組成を選択する、請求項１乃至９の何れか一項に記載の照明システム。
【請求項１１】
前記少なくとも１つのコントローラは、前記発光期間の開始点又は終了点を設定するように動作可能である、請求項１乃至１０の何れか一項に記載の照明システム。
【請求項１２】
請求項１乃至１１の何れか一項に記載の照明システムを含む、ディスプレイ装置。
【請求項１３】
少なくとも１つの光源を制御する方法であって、
前記少なくとも１つの光源が光を放出する発光期間の事前選択されている持続時間の指示を受信するステップと、
前記発光期間の前記持続時間中、光を放出するように、異なる色を放出するよう構成される複数の照明要素を含む前記少なくとも１つの光源を制御するステップと、
前記発光期間の前記持続時間に依存して、第１の光のスペクトルの組成を選択するステップと、
前記発光期間の少なくとも一部分の間、前記第１の光のスペクトルの選択された前記組成を有する光を放出するように前記少なくとも１つの光源を制御するステップと、
前記発光期間中に放出される光の強度、前記発光期間が存在する時刻、及び前記発光期間中に前記空間にいるユーザの概日時計の状態のうちの少なくとも１つに依存して、前記第１の光のスペクトルの組成を選択するステップと、
を含む、方法。
【請求項１４】
前記照明システムによって照らされる前記空間に隣接する領域を照らす１つ以上の他の光源からの強度又はスペクトル、及び、
前記１つ以上の他の光源から放出される光の持続時間、
のうちの少なくとも１つに依存して、前記第１の光のスペクトルの組成を選択するステップ、
を含む、請求項１３に記載の方法。
【請求項１５】
少なくとも１つのコンピュータ可読記憶媒体上に具体化され、照明システムの１つ以上のプロセッサ上で実行されると、請求項１３又は１４の方法の動作を行うように構成される、コンピュータプログラム。
【手続補正書】
【提出日】平成30年7月9日(2018.7.9)
【手続補正１】
【補正対象書類名】特許請求の範囲
【補正対象項目名】全文
【補正方法】変更
【補正の内容】
【特許請求の範囲】
【請求項１】
売手ファイナンスされた取引に対するオンラインマーケットシステムであって、
少なくとも1つの処理デバイスと、
前記少なくとも1つの処理デバイスによって実行されたときに、前記少なくとも1つの処理デバイスがオンラインマーケットを生成することを引き起こす命令を記憶する少なくとも1つのコンピュータ可読記憶デバイスと
を備え、前記オンラインマーケットは、
前記オンラインマーケットの複数の売手ユーザから複数の取引オファリングの説明を受信し、前記取引オファリングは複数の支払いについてある時間にわたり前記売手ユーザから利用可能であり、
複数のリスティングを生成し、前記リスティングの各々は前記複数の取引オファリングの前記説明のうちの1つを含み、前記複数のリスティングは、複数の異なる取引オファリングカテゴリにまたがる取引オファリングに関連付けられ、
前記複数のリスティングのうちの少なくともいくつかを買手ユーザに提示し、
前記売手ユーザから前記買手ユーザへの前記取引オファリングの移転について前記買手ユーザと前記売手ユーザとの間の拘束力のある契約の交渉を円滑にし、前記拘束力のある契約は、支払い条件を定め、前記支払い条件は、ある期間にわたり前記買手ユーザによって前記売手ユーザになされるべき少なくとも2つの支払いを含む価格および売手ファイナンス条件を含む、
オンラインマーケットシステム。
【請求項２】
前記オンラインマーケットは、
前記買手ユーザおよび前記売手ユーザに、合意に達したことを通知し、
前記支払い条件に従って前記買手ユーザから第1の支払いの受領を確認し、
前記売手ファイナンス条件への前記売手ユーザの順守を監視し、
前記期間にわたる前記支払い条件への前記買手ユーザの順守を監視し、
前記売手ユーザおよび前記買手ユーザの前記順守に少なくとも一部は基づき前記オンラインマーケット内の評判データを更新する
ことをさらに行わせられる、請求項1に記載のオンラインマーケットシステム。
【請求項３】
オンラインマーケットにおける売手ファイナンスを伴うオンライン取引を円滑にする方法であって、
前記オンラインマーケットの複数の売手ユーザから複数の取引オファリングの説明を受信するステップであって、前記取引オファリングは少なくとも2つの支払いについてある時間にわたり前記売手ユーザから購入のために利用可能である、ステップと、
少なくとも1つのコンピューティングデバイスを使用して複数のリスティングを生成するステップであって、前記リスティングの各々は前記複数の取引オファリングの前記説明のうちの1つを含み、前記複数のリスティングは、複数の異なる取引オファリングカテゴリにまたがる取引オファリングに関連付けられる、ステップと、
前記複数のリスティングのうちの少なくともいくつかを買手ユーザに提示するステップと、
前記売手ユーザから前記買手ユーザへの前記取引オファリングの移転について前記買手ユーザと前記売手ユーザとの間の拘束力のある契約の交渉を円滑にするステップであって、前記拘束力のある契約は、支払い条件を定め、前記支払い条件は、ある期間にわたり前記買手ユーザによって前記売手ユーザになされる少なくとも2つの支払いを含む価格および売手ファイナンス条件を含む、ステップと
を含む、方法。
【請求項４】
前記売手ファイナンス条件は、第三者ファイナンスを伴い、前記取引の完了後に、前記売手ユーザは、1回限りの全額支払いを取得し、前記第三者は、ある時間にわたり前記買手ユーザから前記少なくとも2つの支払いを受け取る、請求項3に記載の方法。
【請求項５】
前記売手ファイナンス条件は、第三者ファイナンスを伴い、少なくとも1人の第三者は、前記買手ユーザに代わって前記売手ユーザに前記少なくとも2つの支払いを行い、前記買手ユーザは、前記支払い条件と異なる第三者ファイナンス条件に従って前記少なくとも1人の第三者に返金する、請求項3に記載の方法。
【請求項６】
買手ユーザおよび売手ユーザに対する信頼プロファイルを生成して、記憶するステップであって、前記信頼プロファイルは買手ユーザと売手ユーザの両方が売手ファイナンスを伴うオンライン取引を行う前に互いの信頼性を評価することを可能にするように構成されている、ステップ
をさらに含む請求項3に記載の方法。
【請求項７】
前記信頼プロファイルは、
評判データであって、
別のユーザからの前記ユーザの以前の取引のうちの少なくとも1つの取引の少なくとも1つの評価と、
前記ユーザの以前の取引の条件への前記ユーザの順守に関する履歴データと、
前記ユーザの検証レベルに関する情報と
を含む、評判要因と、
前記ユーザの以前の取引の件数を含む、前記評判要因のうちの少なくともいくつかに基づき計算された信頼スコアと
を含む、評判データと、
前記ユーザによって獲得された取引コインの量を表す取引コイン要素と
を含む、請求項6に記載の方法。
【請求項８】
前記買手ユーザおよび前記売手ユーザから取引の評価を受信するステップと、
前記評価に少なくとも一部基づき前記信頼プロファイルを更新するステップと
をさらに含む、請求項6に記載の方法。
【請求項９】
リスティングを買手ユーザに提示するステップは、価格、支払額、支払い頻度、および支払い回数を含みかつ割賦償却スケジュールをさらに含む、提案された売手ファイナンス条件を提示するステップを含む、請求項7に記載の方法。
【請求項１０】
買手ユーザと売手ユーザとの間の連絡先情報を、拘束力のある契約が締結された後にのみ連絡するステップをさらに含む、請求項6に記載の方法。
【請求項１１】
取引を行うオファーを受け取る前に買手ユーザからホールド支払いを受信するステップと、ホールド期間の間、リスティングを保留にするステップとをさらに含む、請求項6に記載の方法。
【請求項１２】
前記信頼スコアは、取引関係スコア、平均評価、および検証レベルスコアに基づく、請求項7に記載の方法。
【請求項１３】
売手ファイナンスを伴うオンライン取引を円滑にする方法であって、
外部ロケーションから、売手ユーザによってオファーされている取引オファリングを受信するステップと、
買手ユーザと前記売手ユーザとの間の拘束力のある契約の交渉を、前記売手ユーザから前記買手ユーザへの前記取引オファリングの移転のために円滑にするステップであって、前記拘束力のある契約は、支払い条件を定め、前記支払い条件は、ある期間にわたり前記買手ユーザによって前記売手ユーザになされる少なくとも2つの支払いを含む価格および売手ファイナンス条件を含む、ステップと
を含む、方法。
【請求項１４】
前記拘束力のある契約の確認書を前記外部ロケーションに送信するステップ
をさらに含む、請求項13に記載の方法。
【請求項１５】
買手ユーザおよび売手ユーザに対する信頼プロファイルを生成し、記憶するステップであって、前記信頼プロファイルは買手ユーザと売手ユーザの両方が売手ファイナンスを伴うオンライン取引を行う前に互いの信頼性を評価することを可能にするように構成されている、ステップ
をさらに含む、請求項13に記載の方法。
【手続補正書】
【提出日】平成30年7月12日(2018.7.12)
【手続補正１】
【補正対象書類名】特許請求の範囲
【補正対象項目名】全文
【補正方法】変更
【補正の内容】
【特許請求の範囲】
【請求項１】
少なくとも1つの誘電体層;少なくとも1つの制御電極;少なくとも1つの正孔電極;少なくとも1つの電子電極;及び放出性両極性チャネルを含むアセンブリを含む、有機エレクトロルミネッセンストランジスタであって、
前記誘電体層は、前記制御電極及び前記アセンブリの間に配置され、
前記放出性両極性チャネルは、n型半導体材料の少なくとも1つの層、p型半導体材料の少なくとも1つの層、並びにp型及びn型半導体材料の前記層の間に配置された放出性材料の少なくとも1つの層を含み、
前記n型半導体材料は、式(N-1)
【化１】
2017521873.tif 000001
によって表される電子輸送化合物を含み、式中、
Xは、O、S、及びSeからなる群から選択され、
Ar及びAr'は、出現する毎に独立に、同一若しくは異なる単環式アリール基又はヘテロアリール基であり、
R1及びR2は、独立に、-CN、Ra、-C(O)Rb、及び-C(O)ORbからなる群から選択される同一若しくは異なる電子吸引性基であり、Raは、少なくとも1個のフルオロ又はシアノ基で置換されているC1〜20アルキル基、C2〜20アルケニル基、又はC2〜20アルキニル基であり、Rbは、H、C1〜20アルキル基、C2〜20アルケニル基、及びC2〜20アルキニル基からなる群から選択され、C1〜20アルキル基、C2〜20アルケニル基、及びC2〜20アルキニル基のそれぞれは、1個又は複数のフルオロ及び/又はシアノ基で任意選択で置換されており、
m及びm'は、独立に、1又は2である、有機エレクトロルミネッセンストランジスタ。
【請求項２】
前記電子輸送化合物が、式(N-2)
【化２】
2017521873.tif 000002
によって表される、請求項1に記載のトランジスタ。
【請求項３】
前記電子輸送化合物が、式(N-3)
【化３】
2017521873.tif 000003
によって表され、式中、nは、1〜12(両端を含む)の範囲の整数である、請求項1に記載のトランジスタ。
【請求項４】
Ar及びAr'が、出現する毎に独立に、フェニル基、チエニル基、チアゾリル基、イソチアゾリル基、チアジアゾリル基、フリル基、オキサゾリル基、イソオキサゾリル基、オキサジアゾリル基、ピロリル基、トリアゾリル基、テトラゾリル基、ピラゾリル基、イミダゾリル基、ピリジル基、ピリミジル基、ピリダジニル基、及びピラジニル基からなる群から選択される、請求項1に記載のトランジスタ。
【請求項５】
前記p型半導体材料が、オリゴチオフェン、アセン、及び縮合ヘテロアレーンからなる群から選択される正孔輸送化合物を含む、請求項1に記載のトランジスタ。
【請求項６】
前記p型半導体材料が、ジチオフェン、クアテルチオフェン、チエノチオフェン、ベンゾチオフェン、ナフトチオフェン、ベンゾチエノ[3,2-b][1]ベンゾチオフェン、及びジナフト[2,3-b:2',3'-f]チエノ[3,2-b]チオフェンからなる群から選択される正孔輸送化合物を含み、これらのそれぞれは、炭化水素基で任意選択でα-及び/又はω-置換することができる、請求項1に記載のトランジスタ。
【請求項７】
前記p型半導体材料が、式(P-1)、(P-2)、(P-3)、(P-4)、(P-5)又は(P-6)
【化４】
2017521873.tif 000004
によって表される正孔輸送化合物を含み、式中、R3及びR4は、独立に、H又は同一若しくは異なるC1〜20アルキル基である、請求項1に記載のトランジスタ。
【請求項８】
前記電子電極、正孔電極、及びゲート電極のそれぞれが、独立に、金属又は透明導電酸化物を含み、
任意選択で、前記金属又は透明導電酸化物が、金、銀、モリブデン、銅、チタン、クロム、スズをドープした酸化インジウム及びこれらの組合せからなる群から選択され、
任意選択で、前記電子電極及び正孔電極が、異なる金属から構成される、請求項1に記載のトランジスタ。
【請求項９】
前記誘電体層が、無機酸化物又は窒化物、分子誘電体、ポリマー誘電体、及びこれらの組合せからなる群から選択される電気絶縁材料を含み、
任意選択で、前記無機酸化物又は窒化物が、SiO2、Si3N4、Al2O3、ZrOx、AlをドープしたZrOx、及びHfOxからなる群から選択され、
任意選択で、前記分子誘電体が、自己組織化ナノ誘電体であり、
任意選択で、前記ポリマー誘電体が、ポリオレフィン、ポリアクリレート、ポリイミド、ポリエステル、及びフルオロポリマーからなる群から選択される、請求項1に記載のトランジスタ。
【請求項１０】
n型半導体材料の前記少なくとも1つの層及び電子電極の間に蒸着させた電子注入副層、並びに／又は
p型半導体材料の前記少なくとも1つの層及び正孔電極の間に蒸着させた正孔注入副層、並びに／又は
前記放出性両極性チャネルの上面を覆うパシベーション層
を更に含む、請求項1に記載のトランジスタ。
【請求項１１】
互いに相互接続しており、基板上に蒸着されている、複数の同一若しくは異なる請求項1に記載の有機エレクトロルミネッセンストランジスタを含む、画像を生成するためのオプトエレクトロニックデバイス。
【手続補正書】
【提出日】平成30年6月25日(2018.6.25)
【手続補正１】
【補正対象書類名】特許請求の範囲
【補正対象項目名】全文
【補正方法】変更
【補正の内容】
【特許請求の範囲】
【請求項１】
層状リチウム−マンガン−ニッケル−コバルト酸化物材料の製造方法であって、
原料層状ＬＭＮＣ材料の製造が、溶解リチウム化合物、溶解マンガン化合物、溶解ニッケル化合物、溶解コバルト化合物、要すれば電気化学セル中の陽極材料として使用するときに層状ＬＭＮＣ材料の性能を向上し得るドーパントの溶解ドーパント化合物、ヒドロキシカルボン酸およびポリヒドロキシアルコールを含有する溶液を、溶液の沸点より低い高温度Ｔ１で、溶液がゲル化するまで保持すること、
前記ゲルを、発火または燃焼してＬｉ−Ｍｎ−Ｎｉ−Ｃｏ−Ｏ粉末を形成するまで高温度に保持すること、および
前記Ｌｉ−Ｍｎ−Ｎｉ−Ｃｏ−Ｏ粉末を焼成して前記粉末中に存在する炭素および／または他の不純物を焼き抜きして、それにより原料層状リチウム−マンガン−ニッケル−コバルト酸化物（ＬＭＮＣ）材料を得ること、
前記原料ＬＭＮＣ材料のアニールを行う前に、前記材料をマイクロ波処理して処理材料を得ること、および
上記処理材料をアニールして層状ＬＭＮＣ材料を得ること、
を包含する、層状リチウム−マンガン−ニッケル−コバルト酸化物材料の製造方法。
【請求項２】
原料層状ＬＭＮＣ材料の製造が、６００℃を超える温度での熱処理を含まないことを特徴とする請求項１記載の製造方法。
【請求項３】
層状ＬＭＮＣ材料が、Ｌｉ［Ｌｉ０．２Ｍｎ０．５４Ｎｉ０．１３Ｃｏ０．１３］Ｏ２、Ｌｉ［Ｎｉ０．３３Ｍｎ０．３３Ｃｏ０．３３］Ｏ２またはＬｉ［Ｎｉ０．４Ｍｎ０．４Ｃｏ０．２］Ｏ２である請求項１または２に記載の製造方法。
【請求項４】
ドーパントが、元素の周期律表のＩＩＡ族、ＩＩＩＡ族またはＩＶＡ族の元素である請求項１〜３いずれかに記載の製造方法。
【請求項５】
ドーパントが、アルミニウムである請求項４記載の製造方法。
【請求項６】
層状ＬＭＮＣ材料が、Ｌｉ［Ｌｉ０．２Ｍｎ０．５２Ｎｉ０．１３Ｃｏ０．１３Ａｌ０．０２］Ｏ２である請求項５記載の製造方法。
【請求項７】
原料層状ＬＭＮＣ材料の製造時に、前記ゲルが保持される高温度が、Ｔ２であり、９０℃≦Ｔ２＜１００℃を満足する請求項１〜６いずれかに記載の製造方法。
【請求項８】
Ｔ２が、Ｔ１と同じで、前記溶液が完全なまたは十分なゲル形成までＴ１に効果的に保持され、次いでゲルが発火または燃焼して前記Ｌｉ−Ｍｎ−Ｎｉ−Ｃｏ−Ｏ粉末を形成するまでＴ１に保持される請求項７記載の製造方法。
【請求項９】
原料層状ＬＭＮＣ材料の製造時に、前記Ｌｉ−Ｍｎ−Ｎｉ−Ｃｏ−Ｏ粉末の焼成が、４００℃≦Ｔ３＜６００℃を満足するＴ３で行われる請求項１〜８いずれかに記載の製造方法。
【請求項１０】
前記処理材料のアニールが、７００℃≦Ｔ３≦９００℃を満足するＴ４で行われて、材料を結晶化する請求項１〜９いずれかに記載の製造方法。
【請求項１１】
前記マイクロ波処理が、焼成粉末を約６０℃で１０〜２０分マイクロ波にかけることを含む請求項１〜１０いずれかに記載の製造方法。
【請求項１２】
セルハウジング、陽極、陰極およびセルハウジング内の電解質を含み、前記陽極が陰極と電子的に絶縁されるが、電解質によって電気化学的に結合し、前記陽極が請求項１〜１１のいずれかの製造方法によって製造される層状ＬＭＮＣ材料を含む、電気化学セル。
【手続補正書】
【提出日】平成30年4月26日(2018.4.26)
【手続補正１】
【補正対象書類名】特許請求の範囲
【補正対象項目名】全文
【補正方法】変更
【補正の内容】
【特許請求の範囲】
【請求項１】
金属ナノワイヤーを、その合成のための反応混合物（ナノワイヤーとは異なる付随する無機粒子をも含有する）から単離するために有用な方法において、少なくとも以下からなる工程を有する：
（ｉ）金属ナノワイヤーと、２５０nm以上の少なくとも二つの寸法を有する大きな粒子、および最も大きな寸法が厳密に２００nm未満である小さな粒子との混合物を、２５°Cにおいて１０ｍＰａ・ｓ以上の粘度を有する溶媒媒体Ｓ１中の分散物の形で用意すること；
（ｉｉ）前記小さな粒子を含有する上澄み相、及び金属ナノワイヤーおよび前記大きな粒子を含有する沈殿物の形成をもたらす条件の下で前記混合物を放置して沈降させること；
（ｉｉｉ）沈降（ｉｉ）の最後に得られた沈殿物を分離し、２５°Cにおいて厳密に１０ｍＰａ・ｓ未満の粘度を有する溶媒媒体Ｓ２中にそれを分散させること；
（ｉｖ）前記大きな粒子の沈殿物をもたらす条件の下で、工程（ｉｉｉ）において形成された懸濁物を放置して沈降させること；および
（ｖ）沈降（ｉｖ）の最後で得られた上澄み相中の分散の形でナノワイヤーを回収すること
を含む方法。
【請求項２】
前記金属ナノワイヤーが銀ナノワイヤーである、請求項１に記載の方法。
【請求項３】
工程（ｉ）の混合物が、０．１〜１０g/lの濃度で、前記ナノワイヤーを形成する金属物質を有する、請求項１又は２に記載の方法。
【請求項４】
前記溶媒媒体（Ｓ１）が、２５°Cにおいて１０〜５０ｍＰａ・ｓの粘度を有する、請求項１〜３のいずれか１項に記載の方法。
【請求項５】
前記溶媒媒体Ｓ１が、２〜６の炭素原子を有するポリオールから選択される１つ以上の溶媒から形成される、請求項１〜４のいずれか１項に記載の方法。
【請求項６】
工程（ｉｉ）の沈降が、６時間〜７日間の期間で実施される、請求項１〜５のいずれか１項に記載の方法。
【請求項７】
前記溶媒媒体Ｓ２が、２５°Cにおいて５ｍＰａ・ｓ以下の粘度を有する、請求項１〜６のいずれか１項に記載の方法。
【請求項８】
前記溶媒媒体Ｓ２が、１〜６の炭素原子を有するモノアルコールおよび水から選ばれる１つ以上の溶媒から形成される、請求項１〜７のいずれか１項に記載の方法。
【請求項９】
前記溶媒媒体Ｓ２が、メタノール、エタノール、およびプロパノールから選ばれる１つ以上の溶媒から形成される、請求項１〜８のいずれか１項に記載の方法。
【請求項１０】
工程（ｉｉｉ）において形成された懸濁物が、０．１〜１０g/lの濃度で、前記ナノワイヤーを形成する金属物質を有する、請求項１〜９のいずれか１項に記載の方法。
【請求項１１】
工程（ｉｖ）における沈降が、１時間〜４日間の期間で実施される、請求項１〜１０のいずれか１項に記載の方法。
【請求項１２】
有機残渣を取り除く為に、工程（ｖ）において回収された上澄み相を洗浄する１つ以上のその後の工程（ｖｉ）を有する、請求項１〜１１のいずれか１項に記載の方法。
【手続補正書】
【提出日】平成30年5月18日(2018.5.18)
【手続補正１】
【補正対象書類名】特許請求の範囲
【補正対象項目名】全文
【補正方法】変更
【補正の内容】
【特許請求の範囲】
【請求項１】
変性ジエンエラストマーであって：
a）変性ジエンエラストマーの全質量に対して少なくとも70質量％の量で含まれ、シラノール官能基により又はシラノール鎖末端を有するポリシロキサンブロックにより一方の鎖末端だけが官能化されており、かつ官能化前の多分散指数が1.6以下であるジエンエラストマー、
b）変性ジエンエラストマーの全質量に対して0より多く30質量％までの量で含まれ、星状分枝前の多分散指数が1.6以下である星状分枝されたジエンエラストマー、
を含み、
前記変性ジエンエラストマーのムーニー粘度が30〜80の範囲にある、前記変性ジエンエラストマー。
【請求項２】
シラノール末端を有するポリシロキサンブロックが、式：
[-(SiR1R2O)x-H]
(式中、
・R1及びR2は、同一であっても又は異なってもよく、１〜10個の炭素原子を有するアルキル基、シクロアルキル基、アリール基、アルカリール基、アラルキル基又はビニル基を表し、
・xは、１〜1500の範囲にある整数である)
に対応することを特徴とする、請求項１に記載のエラストマー。
【請求項３】
星状分枝ジエンエラストマーが、スズベース又はケイ素ベースの星状分枝エラストマーであることを特徴とする、請求項１に記載のエラストマー。
【請求項４】
ジエンエラストマーa）及びb）が、官能化及び星状分枝の前に、同じミクロ構造及び同じマクロ構造を有することを特徴とする、請求項１〜３のいずれか１項に記載の変性ジエンエラストマー。
【請求項５】
少なくとも１種の補強充填剤と請求項１〜４のいずれか１項に記載の少なくとも１種の変性ジエンエラストマーを含むエラストマーマトリックスとをベースにする強化ゴム組成物。
【請求項６】
タイヤ用のゴムで作製された半完成品であって、請求項５に記載の架橋可能なもしくは架橋されたゴム組成物を含むことを特徴とする、前記半完成品。
【請求項７】
請求項６に記載の半完成品を含むことを特徴とする、タイヤ。